(57)【要約】      （修正有）【課題】画像情報を表示するために設定で、視聴環境に適すると供に、ユーザの好みに適した設定を可能とする。【解決手段】照度を示す信号の入力処理を行うセンサ信号入力Ｉ／Ｆと、映像信号を入力処理する映像信号入力部と、入力された照度と、映像信号に基づいて、映像信号の画質を調整する項目毎に、視認に適した表示を行うための目標値を算出する最適化演算部３０１と、映像の画質を調整するための設定画面で、目標値を表示する表示情報を生成するマイクロコンピュータ２６１ｄを備える。【選択図】図３
2010008963.tif 000002
【特許請求の範囲】
【請求項１】
表示部に表示される画像情報の視認に影響を及ぼす環境情報を入力処理する入力部と、
入力された前記環境情報に基づいて、前記画像情報の画質を調整する項目毎に、視認に適した表示を行うための目標値を算出する算出部と、
前記画像情報の画質を調整するための設定画面で、前記各目標値を表示する表示情報を生成する生成部とを備えることを特徴とする画像処理装置。
【請求項２】
前記画質を調整する項目毎に、前記環境情報の値と、当該項目の目標値とを対応付けて記憶する記憶部をさらに備え、
前記算出部は、入力された前記環境情報の値から、前記記憶部で対応付けられた前記目標値を算出することを特徴とする請求項１記載の画像処理装置。
【請求項３】
前記画像情報の画質を調整する項目毎に、すでに設定されている設定値を取得する取得部をさらに備え、
前記生成部は、前記項目毎に、前記目標値の他に、前記設定値を含んだ前記表示情報を生成することを特徴とする請求項１又は２記載の画像処理装置。
【請求項４】
前記入力部が入力する前記環境情報が、前記画像情報自体であることを特徴とする請求項１乃至３のいずれか１項記載の画像処理装置。
【請求項５】
前記入力部が入力する前記環境情報が、前記表示部が配置された周囲の光による照度であることを特徴とする請求項１乃至３のいずれか１項記載の画像処理装置。
【請求項６】
前記表示情報を表示する表示部をさらに備えることを特徴とする請求項１乃至５のいずれか１項記載の画像処理装置。
【請求項７】
画像処理装置で実行される画像処理方法であって、
入力部が、表示部に表示される当該画像情報の視認に影響を及ぼす環境情報を入力処理する入力ステップと、
算出部が、入力された前記環境情報に基づいて、前記画像情報の画質を調整する項目毎に、視認に適した表示を行うための目標値を算出する算出ステップと、
生成部が、前記画像情報の画質を調整するための設定画面で、前記各目標値を表示する表示情報を生成する生成ステップとを有することを特徴とする画像処理方法。
【発明の詳細な説明】
【技術分野】
【０００１】
この発明は、画質を調整可能な画像処理装置及び方法に関するものである。
【背景技術】
【０００２】
従来から、映像表示装置としてテレビジョン受像機が存在する。このテレビジョン受像機としては、例えば、ＣＲＴ（冷陰極管）や、液晶パネル、プラズマディスプレイなどのディスプレイを用いたものがある。このテレビジョン受像機で表示される映像の画質は、昼と夜などの日照変化や、部屋に備えられた照明器具の違いなどの、視聴環境に応じて、大きく変化する。
【０００３】
そこで、テレビジョン受像機では、輝度、コントラスト、画質、色相などを調整する機能を備えていることとした。これにより、テレビジョン受像機において、視聴環境に応じて輝度、コントラスト、画質、色相などを調整することで、よりユーザの好みに適した番組を映し出すことができる。
【０００４】
ところが、このように、ユーザがテレビジョン受像機の輝度、コントラスト、画質、色相などを詳細に設定することは可能であるが、現在のところ、あまり利用されていない。利用されていない原因の一つに、設定に慣れていないユーザでは、これら各パラメータをどう設定すれば、自分の好み及び視聴環境に適した映像が表示されるかわからないからと考えられる。さらに、ユーザが、これらの設定を変更した後、元の設定に戻らなくなることについての恐怖感があるためと考えられる。
【０００５】
そこで、近年、テレビジョン受像機の視聴環境に応じて、画質等を自動的に設定する技術が提案されている。このような技術の例としては、周囲の照度に応じて、表示すべき映像信号の平均輝度を算出することで、画質を自動調整している（例えば、特許文献１参照）。
【０００６】
【特許文献１】特開２００７−１７１２５８号公報
【発明の開示】
【発明が解決しようとする課題】
【０００７】
しかしながら、特許文献１に記載された技術では、画質が自動的に調整されてしまうため、ユーザの好みに応じた画質に調節できないという問題がある。
【０００８】
本発明は、上記に鑑みてなされたものであって、視聴環境に応じた設定と、ユーザの好みに応じた設定との両立を図る画像処理装置、及び方法を提供することを目的とする。
【課題を解決するための手段】
【０００９】
上述した課題を解決し、目的を達成するために、本発明にかかる画像処理装置は、表示部に表示される画像情報の視認に影響を及ぼす環境情報を入力処理する入力部と、入力された前記環境情報に基づいて、前記画像情報の画質を調整する項目毎に、視認に適した表示を行うための目標値を算出する算出部と、前記画像情報の画質を調整するための設定画面で、前記各目標値を表示する表示情報を生成する生成部とを備えることを特徴とする。
【００１０】
また、本発明にかかる画像処理方法は、画像処理装置で実行される画像処理方法であって、入力部が、表示部に表示される当該画像情報の視認に影響を及ぼす環境情報を入力処理する入力ステップと、算出部が、入力された前記環境情報に基づいて、前記画像情報の画質を調整する項目毎に、視認に適した表示を行うための目標値を算出する算出ステップと、生成部が、前記画像情報の画質を調整するための設定画面で、前記各目標値を表示する表示情報を生成する生成ステップとを有することを特徴とする。
【発明の効果】
【００１１】
本発明によれば、設定画面において画質を調整する項目毎に、視認に適した表示を行うための目標値を表示した上で、各項目の値を調節できるので、視認に適していると供にユーザの好みの画質で画像情報を表示できるという効果を奏する。
【発明を実施するための最良の形態】
【００１２】
以下に添付図面を参照して、本発明にかかる画像処理装置、及び方法を適用したテレビジョン受像機の最良な実施の形態を詳細に説明する。
【００１３】
図１は、本発明を適用したデジタルテレビジョン放送受信装置１１１の外観と、このデジタルテレビジョン放送受信装置１１１を中心として構成されるネットワークシステムの一例を概略的に示している。
【００１４】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction  Electron-emitter  Display）表示パネル、液晶表示パネル等でなる平面パネル型の映像表示器１１４、スピーカ１１５、操作部１１６、リモートコントローラ１１７から送信される操作情報を受ける受光部１１８等が設置されている。
【００１５】
また、このデジタルテレビジョン放送受信装置１１１には、例えばＳＤ（Secure  Digital）メモリカード、ＭＭＣ（Multimedia  Card）及びメモリスティック（登録商標）等の第１のメモリカード１１９が着脱可能となっており、この第１のメモリカード１１９に対して番組や写真等の情報の記録再生が行なわれるようになっている。
【００１６】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１７】
また、このデジタルテレビジョン放送受信装置１１１は、第１のＬＡＮ（Local  Area  Network）端子１２１、第２のＬＡＮ端子１２２、ＵＳＢ（Universal  Serial  Bus）端子１２３及びｉ．ＬＩＮＫ（登録商標）端子１２４を備えている。
【００１８】
このうち、第１のＬＡＮ端子１２１は、ＬＡＮ対応ＨＤＤ専用ポートとして使用されるもので、接続されたＮＡＳ（Network  Attached  Storage）であるＬＡＮ対応のＨＤＤ１２５に対して、イーサネット（登録商標）により情報の記録再生を行なうために使用される。
【００１９】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００２０】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital  Versatile  Disk）レコーダ１２９等の機器を接続し、これらの機器と情報伝送を行なうために使用される。
【００２１】
なお、コンテンツサーバ１２８については、家庭内ネットワークにおいてコンテンツのサーバ機器として動作するための機能を持ち、さらにコンテンツのアクセスに必要なＵＲＩ（Uniform  Resource  Identifier）情報を提供するサービスを備えたＵＰｎＰ（ユニバーサルプラグアンドプレイ）対応機器として構成される。
【００２２】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２３】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００２４】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２５】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２６】
さらに、上記ｉ．ＬＩＮＫ端子１２４は、例えばＡＶ−ＨＤＤ１４１、Ｄ（Digital）−ＶＨＳ（Video  Home  System）１４２等をシリアル接続し、これらの機器と情報伝送を行なうために使用される。
【００２７】
図２は、上記したデジタルテレビジョン放送受信装置１１１の主要な信号処理系を示している。
【００２８】
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２９】
チューナ２４５ａは、制御部２６１からの制御信号により所望のチャンネルの放送信号を選局し、この選局された放送信号をＰＳＫ（Phase  Shift  Keying）復調器２４５ｂに出力する。
【００３０】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００３１】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized  Elementary  Stream）を信号処理部２４７に出力する。
【００３２】
また、ＴＳ復号器２４５ｃは、デジタル放送により送られているセクション情報を信号処理部２４７に出力する。
【００３３】
また、地上波放送受信用のアンテナ２４８で受信した地上デジタルテレビジョン放送信号は、入力端子２４９を介して地上デジタル放送用のチューナ２５０ａに供給される。
【００３４】
チューナ２５０ａは、制御部２６１からの制御信号により所望のチャンネルの放送信号を選局し、この選局された放送信号をＯＦＤＭ（Orthogonal  Frequency  Division  Multiplexing）復調器２５０ｂに出力する。
【００３５】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３６】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized  Elementary  Stream）を信号処理部２４７に出力する。
【００３７】
また、ＴＳ復号器２５０ｃは、デジタル放送により送られているセクション情報を信号処理部２４７に出力する。
【００３８】
ここで、信号処理部２４７は、テレビ視聴時には、ＴＳ復号器２４５ｃおよびＴＳ復号器２５０ｃからそれぞれ入力されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３９】
また、信号処理部２４７は、ＴＳ復号器２４５ｃ（２５０ｃ）から入力されたセクション情報の中から、番組を取得するための各種データや電子番組ガイド（ＥＰＧ）情報、番組属性情報（番組ジャンル等）、字幕情報等（サービス情報、ＳＩやＰＳＩ）を制御部２６１に出力する。
【００４０】
制御部２６１は、ＲＯＭ２６１ａと、ＲＡＭ２６１ｂと、不揮発性メモリ２６１ｃと、マイクロコンピュータ２６１ｄとを備える。そして、制御部２６１は、信号処理部２４７から、番組を取得するための各種データや電子番組ガイド（ＥＰＧ）情報、番組属性情報（番組ジャンル等）、字幕情報等（サービス情報、ＳＩやＰＳＩ）が入力されている。
【００４１】
マイクロコンピュータ２６１ｄは、画質の制御と、操作部１１６から入力された操作情報の入力処理と、を行う。さらに、マイクロコンピュータ２６１ｄは、操作情報に基づくＧＵＩの制御も行う。
【００４２】
マイクロコンピュータ２６１ｄは、入力された情報（例えば映像信号、電子番組ガイド情報、番組属性情報、字幕情報等）からＥＰＧ、字幕を表示するための画像生成処理を行い、この生成した画像情報をグラフィック処理部２５４へ出力する。
【００４３】
マイクロコンピュータ２６１ｄは、操作情報において設定画面の表示が要求されたと判断した場合、当該設定画面を示す表示情報を生成し、当該表示情報をＯＳＤ信号生成部１５７に出力する。この際、マイクロコンピュータ２６１ｄは、ＯＳＤ（On  Screen  Display）信号生成部２５７に対して、当該設定情報を示すＯＳＤ信号の出力を要求する。
【００４４】
ＯＳＤ（On  Screen  Display）信号生成部２５７は、マイクロコンピュータ２６１ｄからの要求に従って、ＯＳＤ信号を生成する。本実施の形態にかかるＯＳＤとは、デジタルテレビジョン放送受信装置１１１の設定画面を表示して操作するための機能とする。そして、本実施の形態にかかるＯＳＤ信号は、設定画面情報を含む信号とする。
【００４５】
グラフィック処理部２５４は、（１）信号処理部２４７から入力されるデジタルの映像信号と、（２）ＯＳＤ信号生成部２５７で生成されるＯＳＤ信号と、（３）データ放送による画像データと、（４）制御部２６１により生成されたＥＰＧ、字幕信号とを合成して映像処理部２５８へ出力する機能を有する。
【００４６】
また、グラフィック処理部２５４は、字幕放送による字幕を表示する場合、制御部２６１から入力された字幕情報を、映像信号上に重畳する処理を行う。
【００４７】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００４８】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００４９】
本実施の形態にかかる信号処理部２４７と、グラフィック処理部２５４と、映像処理部２５８と、マイクロコンピュータ２６１ｄとによる映像処理に特徴がある。そこでこれらの構成を映像処理構成部２９０として、後で具体的に説明する。
【００５０】
ここで、このデジタルテレビジョン放送受信装置１１１は、上記した各種の受信動作を含むその全ての動作を制御部２６１によって統括的に制御されている。この制御部２６１は、ＣＰＵ（Central  Processing  Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００５１】
ＲＯＭ２６１ａは、デジタルテレビジョン放送受信装置１１１に関する情報（ＴＶセット情報）を保持する。このＴＶセット情報の例としては、入力端子や画角とする。ＲＡＭ２６１ｂは、ユーザに設定された情報等を保持する。
【００５２】
この場合、制御部２６１は、主として、そのＣＰＵが実行する制御プログラムを格納したＲＯＭ（Read  Only  Memory）２６１ａと、該ＣＰＵに作業エリアを提供するＲＡＭ（Random  Access  Memory）２６１ｂと、各種の設定情報及び制御情報等が格納される不揮発性メモリ２６１ｃとを利用している。
【００５３】
不揮発性メモリ２６１ｃに格納される情報としては、デジタルテレビジョン放送受信装置１１１に関する情報がある。このデジタルテレビジョン放送受信装置１１１に関する情報としては、例えば、入力端子や画角を示す情報や、デジタルテレビジョン放送受信装置１１１の設定画面で、ユーザに設定された情報等がある。
【００５４】
また、この制御部２６１は、カードＩ／Ｆ（Interface）２６５を介して、第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００５５】
さらに、制御部２６１は、カードＩ／Ｆ２６７を介して、第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００５６】
また、制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic  Host  Configuration  Protocol）サーバ機能を有し、第１のＬＡＮ端子１２１に接続されたＬＡＮ対応のＨＤＤ１２５にＩＰ（Internet  Protocol）アドレスを割り当てて制御している。
【００５７】
さらに、制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００５８】
また、制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００５９】
さらに、制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送することができる。
【００６０】
さらに、制御部２６１は、センサ信号入力Ｉ／Ｆ２７３を介して照度・色温度センサ２７４に接続されている。これにより、制御部２６１は、照度・色温度センサ２７４から、センサ信号入力Ｉ／Ｆ１７３を介して入力された情報を伝送することができる。
【００６１】
照度・色温度センサ２７４は、デジタルテレビジョン放送受信装置１１１が設定された場所の照度、及び色温度を検出する。そして、検出された照度、及び色温度は制御部２６１に入力される。そして、制御部２６１は、入力された照度、及び色温度を示す情報を、信号処理部２４７に出力する。
【００６２】
ところで、この実施形態ではＨＤＤ１２５に、初期登録時のＨＤＤ１２５、ＨＤＤ１２７、コンテンツサーバ１２８、ＤＶＤレコーダ１２９それぞれに割り当てられたストレージＩＤ（ＩＰアドレス、機器名を含む）を記述した登録ファイルを記憶保持している。
【００６３】
また、不揮発性メモリ２６１ｃに、ＨＤＤ１２５、ＨＤＤ１２７、コンテンツサーバ１２８、ＤＶＤレコーダ１２９それぞれのストレージＩＤを記憶している。
【００６４】
図３は、本実施の形態にかかるデジタルテレビジョン放送受信装置１１１の映像処理構成部２９０の機能ブロックを示す図である。図３に示すように、映像処理構成部２９０は、最適化演算部３０１と、映像信号入力部３０２と、フィルム判断部３０３と、マイクロコンピュータ２６１ｄと、画質補正回路３０４と、ＯＳＤ重畳部３０５と、ＲＧＢドライブ回路３０６と、ＯＳＤ信号生成部２５７とを備える。
【００６５】
この映像処理構成部２９０は、上述した構成による処理により、デジタルテレビジョン放送受信装置１１１の映像表示器１１４に表示するための設定画面を出力する。この設定画面では、画質調整項目毎に、視認に適した表示を行うための目標値が表示される。
【００６６】
そして、ユーザは、表示された目標値を参照した上で、操作部１１６から、画質設定項目毎に好みの値に設定できる。これにより、デジタルテレビジョン放送受信装置１１１は、ユーザの好みと視聴環境に適した画質で映像を表示することが可能となる。以下に、映像処理構成部２９０の各構成について説明する。
【００６７】
本実施の形態にかかる画質設定項目毎の目標値は、センサ信号入力Ｉ／Ｆ２７３から入力された、デジタルテレビジョン放送受信装置１１１が配置された周囲の光による照度と、映像信号入力部３０２に入力された映像信号と、に基づいて算出する。
【００６８】
映像信号入力部３０２は、ＴＳ復号器２４５ｃおよびＴＳ復号器２５０ｃからの、デジタルの映像信号の入力処理を行う。また、ＴＳ復号器２４５ｃおよびＴＳ復号器２５０ｃから、音声信号も入力されるが、通常のデジタルテレビジョン放送受信装置と同様の処理を行うため、説明を省略する。
【００６９】
フィルム判断部３０３は、映像信号入力部３０２が入力処理した映像信号に対して、フィルムコンテンツ又はビデオコンテンツであるかを判断する。映像信号がフィルムコンテンツであるか否かを判断する手法としては、どのような手法を用いても良いが、例えば、２−３プルダウン信号か否かで、フィルムコンテンツか否かを判断することが考えられる。
【００７０】
フィルムコンテンツとは、映画などのフィルムで作成されたコンテンツを、デジタルテレビジョン放送受信装置で表示するために変換されたコンテンツをいう。このフィルムコンテンツは、明かりのない映画館で上映することを目的として作成されているため、暗めの画像で作成されていることが多い。これに対し、ビデオコンテンツは、フィルムコンテンツ以外のコンテンツであって、バラエティー、スポーツ番組又はニュースなどのテレビジョン放送受信装置で放送することを目的として、ビデオカメラ等で作成された一般的なコンテンツをいう。ビデオコンテンツは、リビングなどの明かりのある室内で見ることも想定しているため、明るめの画像で作成されていることが多い。このため、画質を調整する際、フィルムコンテンツに適した画質の調整値と、ビデオコンテンツに適した画質の調整値とでは、異なることが多い。
【００７１】
そこで、フィルムコンテンツと、ビデオコンテンツとの判断手法について説明する。まず、標準テレビジョン方式の映像信号は毎秒３０フレーム（毎秒６０フィールド）のインターレース走査の映像信号である。これに対し、映画フィルムは、毎秒２４コマである。このため、現在、映画フィルムを標準テレビジョン方式用のフィルムコンテンツとするためには、映画フィルムを２−３プルダウン形式で変換している。２−３プルダウンとは、映画フィルムの一コマを２フィールドの映像信号にした後、次の一コマを３フィールドの映像信号にするという処理を交互に行うことをいう。そこで、コンテンツが２−３プルダウン形式に従っているか否か判別することで、フィルムコンテンツか、ビデオコンテンツか判断できる。
【００７２】
そして、フィルム判断部３０３は、この２−３プルダウン形式に変換された映像信号であるか否か判定することで、入力された映像信号がフィルムコンテンツ又はビデオコンテンツであるかを判断できる。
【００７３】
最適化演算部３０１は、テーブル記憶部３１１を備え、映像信号及び照度・色温度の信号、並びにフィルムコンテンツか否かに基づいて、映像の画質を調整する項目（以下、画質調整項目と称す）毎に、視認に適した表示を行うための目標値を算出する。
【００７４】
テーブル記憶部３１１は、最適化演算部３０１が目標値を算出するために参照されるテーブル群を記憶する。本実施の形態にかかるテーブル記憶部３１１では、ビデオコンテンツ及びフィルムコンテンツのそれぞれについて、画質調整項目毎にテーブルを保持しているものとする。以下に各テーブルについて説明する。
【００７５】
図４は、バックライト輝度テーブルのテーブル構造を示した図である。図４に示すように、バックライト輝度テーブルは、周囲照度と、バックライト輝度との対応関係を保持している。そこで、最適化演算部３０１は、バックライト輝度テーブルを参照することで、照度・色温度センサ２７４から入力された周囲照度に対応する、バックライト輝度の目標値を算出できる。なお、バックライト輝度の目標値は、ビデオコンテンツ及びフィルムコンテンツ間で違いはないものとする。
【００７６】
図５は、ビデオコンテンツについての色濃度テーブルのテーブル構造を示した図である。図６は、フィルムコンテンツについての色濃度テーブルのテーブル構造を示した図である。図５及び図６に示すように、色濃度テーブルは、周囲照度と、色濃度との対応関係を保持している。図５のビデオコンテンツの色濃度テーブルと、図６のフィルムコンテンツの色濃度テーブルとを比較すると、ビデオコンテンツの色濃度が、フィルムコンテンツの色濃度より高いことが確認できる。つまり、各色濃度テーブルに従うと、ビデオコンテンツの場合は色が派手になり、フィルムコンテンツの場合は色が自然な感じとなる。
【００７７】
そして、最適化演算部３０１は、フィルム判断部３０３の判断結果（ビデオコンテンツ又はフィルムコンテンツ）に従って色濃度テーブルを参照することで、周囲の照度に対応すると供にコンテンツに適した色濃度の目標値を算出できる。
【００７８】
図７は、ビデオコンテンツについてのシャープネステーブルのテーブル構造を示した図である。図８は、フィルムコンテンツについてのシャープネステーブルのテーブル構造を示した図である。図７及び図８に示すように、シャープネステーブルは、周囲照度と、シャープネスとの対応関係を保持している。図７のビデオコンテンツのシャープネステーブルと、図８のフィルムコンテンツのシャープネステーブルとを比較すると、ビデオコンテンツのシャープネステーブルが、フィルムコンテンツのシャープネスより強いことが確認できる。つまり、各シャープネステーブルに従うと、ビデオコンテンツの場合はメリハリのある映像になり、フィルムコンテンツの場合は穏やかな映像となる。
【００７９】
そして、最適化演算部３０１は、フィルム判断部３０３の判断結果（ビデオコンテンツ又はフィルムコンテンツ）に従ってシャープネステーブルを参照することで、周囲の照度に対応すると供にコンテンツに適したシャープネスの目標値を算出できる。
【００８０】
図９は、ビデオコンテンツについてのダイナミックガンマのテーブル構造を示した図である。図１０は、フィルムコンテンツについてのダイナミックガンマのテーブル構造を示した図である。図９及び図１０に示すように、ダイナミックガンマテーブルは、周囲照度と、ダイナミックガンマとの対応関係を保持している。図９のビデオコンテンツのダイナミックガンマテーブルと、図１０のフィルムコンテンツのダイナミックガンマとを比較すると、ビデオコンテンツのダイナミックガンマが、フィルムコンテンツのダイナミックガンマより補正値が高いことが確認できる。つまり、各ダイナミックガンマテーブルに従うと、ビデオコンテンツの場合は明るめの映像となり、フィルムコンテンツの場合は暗めの映像となる。
【００８１】
そして、最適化演算部３０１は、フィルム判断部３０３の判断結果（ビデオコンテンツ又はフィルムコンテンツ）に従ってダイナミックガンマテーブルを参照することで、周囲の照度に対応すると供にコンテンツに適したダイナミックガンマの目標値を算出できる。
【００８２】
図１１は、ビデオコンテンツについてのＲＧＢドライブのテーブル構造を示した図である。図１２は、フィルムコンテンツについてのＲＧＢドライブのテーブル構造を示した図である。図１１及び図１２に示すように、ＲＧＢドライブテーブルは、周囲照度と、Ｒ、Ｇ及びＢドライブとの対応関係を保持している。図１１のビデオコンテンツのＲＧＢドライブテーブルと、図１２のフィルムコンテンツのＲＧＢドライブテーブルとを比較すると、ビデオコンテンツのＧ及びＢドライブが、フィルムコンテンツのＧ及びＢドライブよりオフセット値が高いことが確認できる。このようなＲＧＢドライブを用いることで、ビデオコンテンツ及びフィルムコンテンツに適した映像の調節が可能となる。
【００８３】
そして、最適化演算部３０１は、フィルム判断部３０３の判断結果（ビデオコンテンツ又はフィルムコンテンツ）に従ってＲＧＢドライブテーブルを参照することで、周囲の照度に対応すると供にコンテンツに適したＲ、Ｇ及びＢドライブそれぞれの目標値を算出できる。
【００８４】
図３に戻り、最適化演算部３０１は、各テーブルを参照することで、バックライト輝度、色濃度、シャープネス、ダイナミックガンマ及びＲＧＢドライブといった、画質設定項目毎に、目標値を算出することができる。また、本実施の形態は、画質を調整するパラメータとして、バックライト輝度、色濃度、シャープネス、ダイナミックガンマ及びＲＧＢドライブを用いた例について説明したが、これらパラメータに制限するものではなく、画質を調整するパラメータであればよいものとする。そして、算出された目標値は、マイクロコンピュータ２６１ｄに出力される。これにより画質調整項目毎に目標値を含む設定画面を生成できる。
【００８５】
なお、上述した最適化演算部３０１、映像信号入力部３０２、及びフィルム判断部３０３は、図２に示した信号処理部２４７に含まれる機能とする。
【００８６】
マイクロコンピュータ２６１ｄは、取得部３２１を備える。取得部３２１は、不揮発性メモリ２６１ｃから、各画質調整項目において、現在の設定値（既に設定されている設定値）を取得する。そして、マイクロコンピュータ２６１ｄは、画質調整項目毎に、現在の設定値及び目標値が表されている設定画面（図１３、１４参照）を示す表示情報を生成する。生成した表示情報は、ＯＳＤ信号生成部２５７に出力される。なお、ＯＳＤ信号生成部２５７は上述したので説明を省略する。
【００８７】
また、マイクロコンピュータ２６１ｄは、当該設定画面に基づいて、各画質調整項目の設定値が入力された場合、当該設定値を、画質補正回路３０４に出力する機能を有する。なお、設定値の入力は、操作部１１６から行われるものとする。
【００８８】
画質補正回路３０４は、マイクロコンピュータ２６１ｄから入力された画質調整項目の設定値に応じて、映像信号に対する画質補正を行う。
【００８９】
ＯＳＤ重畳部３０５は、ＯＳＤ信号生成部２５７からＯＳＤ信号が入力された場合、画質補正回路３０４による画質調整後の映像信号に対して、ＯＳＤ信号を重畳する。これにより、設定画面が表示される映像信号を生成する。なお、ＯＳＤ信号生成部２５７からＯＳＤ信号が入力されなかった場合、特に処理は行わない。
【００９０】
ＲＧＢドライブ回路３０６は、ＯＳＤ信号が重畳されているか否かにかかわらず、入力された映像信号を増幅して、映像表示器１１４に表示するためのＲＧＢ出力信号を生成する。これにより、映像表示器１１４上で、設定画面や、画質が調整された映像信号による画像を表示することができる。
【００９１】
なお、画質補正回路３０４、及びＯＳＤ重畳部３０５は、図２に示したグラフィック処理部２５４に含まれる機能とする。また、ＲＧＢドライブ回路３０６は、図２に示した映像処理部２５８に含まれる機能とする。
【００９２】
図１３は、デジタルテレビジョン放送受信装置１１１で夜にビデオコンテンツの受信時に、表示する設定画面の例を示した図である。図１３に示す設定画面は、ユーザが操作部１１６により設定画面を表示する操作をした場合に表示される。
【００９３】
図１３に示す設定画面では、画質調整項目毎に設定値の調整が可能である。そして、符号１３０１〜１３０７で示された値が、最適化演算部１０４で演算された目標値とする。そして、設定画面の調整ボタン１３０８〜１３１４で設定された値が、現在の設定値とする。
【００９４】
そして、利用者が、操作部１１６で調整ボタン１３０８〜１３１４の設定値を変更することで、表示される画質を変更できる。この際、調整ボタン１３０１〜１３０７を、目標値１３０８〜１３１４に重畳することで、最適化演算部３０１が算出した目標値に従って、画質を補正することができる。
【００９５】
しかしながら、最適化演算部３０１が算出した目標値がユーザの好みの値であるとは限らない。そこで、本実施の形態では、利用者は、図１３に示す設定画面で各画質調整項目の目標値が確認した上で、当該目標値を参考にし、自分の好みの画質になるように、各画質調整項目の設定値を調整できる。
【００９６】
例えば、デジタルテレビジョン放送受信装置１１１が表示した画面において、現在の設定値では色が薄く、目標値では色が濃いとユーザが感じた場合、操作部１１６を介して現在の設定値と目標値との間に新たな設定値を設定することで、自分の好みの色濃度で画像を表示することができる。
【００９７】
このように設定された各設定値は、マイクロコンピュータ２６１ｄを介して、画質補正回路３０４に入力される。そして、画像補正回路３０４は、入力された設定値に従って、映像信号に対する画像補正を行う。そして、補整された画像が、映像表示器１１４上に表示される。これにより、デジタルテレビジョン放送受信装置１１１は、表示される映像において、周囲照度に適した画質と、ユーザの好みの画質と、の両立を図ることができる。
【００９８】
図１４は、デジタルテレビジョン放送受信装置１１１で夜にフィルムコンテンツの受信時に、表示する設定画面の例を示した図である。なお、図１４に示す調整ボタン１４０１〜１４０７による設定値は、図１３と同じ値が設定されているものとする。
【００９９】
このように、図１３及び図１４を比較すると、ビデオコンテンツとフィルムコンテンツの違いに応じて、画質調整項目毎に設定されている目標値が異なることが確認できる。例えば、色の濃さは図１３では目標値１３０２が現在の設定値１３０９より高い値であるが、図１４では目標値１４０２が現在の設定値１３０９より低い値（右側に設定）となる。このようにコンテンツに応じて、それぞれ適切な目標値が設定される。
【０１００】
なお、本実施の形態にかかる設定画面では、コンテンツの違いにのみ限らず、例えば周囲照度の変化に応じても適切な目標値が設定される。
【０１０１】
図１５、図１６及び図１７は、設定画面の各画質調整項目で設定された設定値に従って表示される映像の例を示した図である。図１５は、デジタルテレビジョン放送受信装置１１１が、日中にビデオコンテンツを表示した例を示した図である。図１５に示す例では、照度・色温度センサ２７４からの信号により、日中に応じた周囲照度が検出される。このため、最適化演算部３０１ではこの周囲照度に応じた目標値が算出される。そして、設定画面において、ユーザが操作部１１６を介して、目標値を基準に好みの設定値を設定する。この際に目標値に近い設定値を設定することで、デジタルテレビジョン放送受信装置１１１の映像表示器１１４は、日中のリビングにおいてメリハリのある映像を表示することができる。
【０１０２】
図１６は、デジタルテレビジョン放送受信装置１１１が、夜にビデオコンテンツを表示した例を示した図である。図１６に示す例では、照度・色温度センサ２７４からの信号により、夜の照明に応じた周囲照度が検出される。このため、最適化演算部３０１ではこの周囲照度に応じた目標値が算出される。そして、設定画面において、ユーザが操作部１１６を介して、目標値を基準に好みの設定値を設定する。この際に目標値に近い設定値を設定することで、デジタルテレビジョン放送受信装置１１１の映像表示器１１４は、夜のリビングにおいて、昼のリビングと比べて落ち着いた映像を表示することができる。
【０１０３】
図１７は、デジタルテレビジョン放送受信装置１１１が、夜にフィルムコンテンツを表示した例を示した図である。図１７に示す例では、照度・色温度センサ２７４からの信号により、夜の照明に応じた周囲照度が検出される。さらにフィルム判断部３０３が、フィルムコンテンツと判断しているものとする。このため、最適化演算部３０１ではこの周囲照度及びフィルムコンテンツに応じた目標値が算出される。そして、設定画面において、ユーザが操作部１１６を介して、目標値を基準に好みの設定値を設定する。この際に目標値に近い設定値を設定することで、デジタルテレビジョン放送受信装置１１１の映像表示器１１４は、夜のリビングで、映画の質感を保持した映像を表示することができる。
【０１０４】
また、本実施の形態においては、映像信号に基づいて各画質調整項目の目標値を設定する際に、フィルムコンテンツか否かのみを判断基準として用いたが、他の判断結果を用いても良い。映像信号に基づく判断基準としては、例えば、フォーマット判別（ＳＤかＨＤか）や、映像信号で表示されるコンテンツのジャンルや、映像信号のヒストグラムやノイズなどに基づいて、各画質調整項目の目標値を設定しても良い。
【０１０５】
次に、デジタルテレビジョン放送受信装置１１１において、目標値が表示された設定画面を生成するまでの手順について説明する。図１８は、デジタルテレビジョン放送受信装置１１１の上述した処理手順を示すシーケンス図である。
【０１０６】
センサ信号入力Ｉ／Ｆ１７３は、照度・色温度センサ２７４からのセンサ信号の入力処理し（ステップＳ１８０１）、センサ情報として最適化演算部３０１に送信する（ステップＳ１８０２）。
【０１０７】
次に、映像信号入力部３０２が、映像信号の入力処理を行う（ステップＳ１８０３）。その後、映像信号入力部３０２は、映像情報としてフィルム判断部３０３に送信する（ステップＳ１８０４）。
【０１０８】
そして、フィルム判断部３０３が、入力された信号情報が、フィルムコンテンツか否か判断し（ステップＳ１８０５）、判断結果を最適化演算部３０１に送信する（ステップＳ１８０６）。
【０１０９】
その後、最適化演算部３０１が、ステップＳ１８０２で入力されたセンサ情報に含まれる照度、及びステップＳ１８０６で入力された判断結果と、テーブル記憶部３１１に記憶された各テーブルと、に基づいて画質設定項目毎の目標値を算出し（ステップＳ１８０７）、算出結果をマイクロコンピュータ２６１ｄに送信する（ステップＳ１８０８）。
【０１１０】
そして、マイクロコンピュータ２６１ｄは、入力された算出結果から画像生成処理を行うことで設定画面情報を生成し（ステップＳ１８０９）、当該設定画面情報をＯＳＤ信号生成部２５７へ送信する（ステップＳ１８１０）。
【０１１１】
次に、ＯＳＤ信号生成部２５７は、入力された設定画面情報から、ＯＳＤ信号を生成し（ステップＳ１８１１）、生成したＯＳＤ信号をＯＳＤ重畳部３０５に送信する（ステップＳ１８１２）。
【０１１２】
そして、ＯＳＤ重畳部３０５が、入力された映像に対して、ＯＳＤ信号に含まれる設定画面を重畳する（ステップＳ１８１３）。そして、重畳された設定画面は、ＲＧＢドライブ回路３０６を介した後、映像表示器１１４で表示される。
【０１１３】
本実施の形態においては、映像表示器１１４に映像を表示する場合に、当該映像の視認に影響する環境情報として、照度と映像信号（特にフィルムコンテンツか否か）とを用いた例について説明した。しかしながら、本実施の形態は、環境情報として、照度と映像信号に制限するものではなく、例えば色温度など、ユーザの視覚に影響を与える情報であればよい。
【０１１４】
また、本実施の形態では、照度・色温度センサ２７４で検出された照度を用いたが、センサで検出された照度に限らず、利用者に設定された照明、カレンダー、現在時刻、地域の設定に基づいて、現在の照度を算出しても良い。
【０１１５】
上述したデジタルテレビジョン放送受信装置１１１では、画質設定項目毎に、照度及びコンテンツに適した目標値と、現在の設定値と、を含む設定画面を表示できる。これにより、ユーザは、目標値を参照した上で、好みの画質で表示できるように、画質設定項目毎の設定値を設定できる。これにより、本実施の形態にかかるデジタルテレビジョン放送受信装置１１１は、視聴環境に応じて画質調整を可能にすると供に、ユーザの好みに応じた画質調整の両立を図ることが可能となる。
【０１１６】
なお、本実施形態のデジタルテレビジョン放送受信装置１１１で実行される画像処理プログラムは、ＲＯＭ等に予め組み込まれて提供される。
【０１１７】
本実施形態のデジタルテレビジョン放送受信装置１１１で実行される画像処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１１８】
さらに、本実施形態のデジタルテレビジョン放送受信装置１１１で実行される画像処理プログラムを、インターネット等のネットワークに接続されたコンピュータ上に格納し、ネットワーク経由でダウンロードさせることにより提供するように構成しても良い。また、本実施形態のデジタルテレビジョン放送受信装置１１１で実行される画像処理プログラムをインターネット等のネットワーク経由で提供または配布するように構成しても良い。
【０１１９】
本実施の形態のデジタルテレビジョン放送受信装置１１１で実行される画像処理プログラムとして、図３で示した各構成を含むモジュール構成が、図２で示した各処理部に備えられている。そして、各処理部に搭載されたプロセッサ等が、各処理部に格納された各モジュール構成を、主記憶装置上にロードすることで、上述した処理を実現できる。
【０１２０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１２１】
【図１】本実施の形態にかかるデジタルテレビジョン放送受信装置の外観と、当該デジタルテレビジョン放送受信装置を中心として構成されるネットワークシステムを説明するための図である。
【図２】本実施の形態にかかるデジタルテレビジョン放送受信装置の主要な信号処理系を示す図である。
【図３】本実施の形態にかかるデジタルテレビジョン放送受信装置の映像処理構成部２９０の機能ブロックを示す図である。
【図４】バックライト輝度テーブルのテーブル構造を示した図である。
【図５】ビデオコンテンツについての色濃度テーブルのテーブル構造を示した図である。
【図６】フィルムコンテンツについての色濃度テーブルのテーブル構造を示した図である。
【図７】ビデオコンテンツについてのシャープネステーブルのテーブル構造を示した図である。
【図８】フィルムコンテンツについてのシャープネステーブルのテーブル構造を示した図である。
【図９】ビデオコンテンツについてのダイナミックガンマのテーブル構造を示した図である。
【図１０】フィルムコンテンツについてのダイナミックガンマのテーブル構造を示した図である。
【図１１】ビデオコンテンツについてのＲＧＢドライブのテーブル構造を示した図である。
【図１２】フィルムコンテンツについてのＲＧＢドライブのテーブル構造を示した図である。
【図１３】デジタルテレビジョン放送受信装置で夜にビデオコンテンツの受信時に、表示する設定画面の例を示した図である。
【図１４】デジタルテレビジョン放送受信装置で夜にフィルムコンテンツの受信時に、表示する設定画面の例を示した図である。
【図１５】デジタルテレビジョン放送受信装置が、日中にビデオコンテンツを表示した例を示した図である。
【図１６】デジタルテレビジョン放送受信装置が、夜にビデオコンテンツを表示した例を示した図である。
【図１７】デジタルテレビジョン放送受信装置が、夜にフィルムコンテンツを表示した例を示した図である。
【図１８】デジタルテレビジョン放送受信装置において、目標値が表示された設定画面を生成するまでの手順を示すシーケンス図である。
【符号の説明】
【０１２２】
２４４、２４９…入力端子、２４５ａ、２５０ａ…チューナ、２４５ｂ…ＰＳＫ復調器、２４５ｃ、２５０ｃ…ＴＳ復号器、２４７…信号処理部、２５０ｂ…ＯＦＤＭ復調器、２５４…グラフィック処理部、２５５…映像処理部、２５７…ＯＳＤ信号生成部、２５８…映像処理部、２６１…制御部、２６１ａ…ＲＯＭ、２６２ｂ…ＲＡＭ、２６１ｃ…不揮発性メモリ、２６１ｄ…マイクロコンピュータ、２６５、２６７…カードＩ／Ｆ、２６６、２６８…カードホルダ、２６９、２７０…通信Ｉ／Ｆ、２７１…ＵＳＢ  Ｉ／Ｆ、２７２…ｉ．ＬＩＮＫ、２７３…センサ信号入力Ｉ／Ｆ、２８０…時計、３０１…最適化演算部、３０２…映像信号入力部、３０３…フィルム判断部、３０４…画質補正回路、３０５…ＯＳＤ重畳部、３０６…ＲＧＢドライブ回路、３１１…テーブル記憶部、３２１…取得部。
【図１】
2010008963.tif 000003
【図２】
2010008963.tif 000004
【図３】
2010008963.tif 000005
【図４】
2010008963.tif 000006
【図５】
2010008963.tif 000007
【図６】
2010008963.tif 000008
【図７】
2010008963.tif 000009
【図８】
2010008963.tif 000010
【図９】
2010008963.tif 000011
【図１０】
2010008963.tif 000012
【図１１】
2010008963.tif 000013
【図１２】
2010008963.tif 000014
【図１３】
2010008963.tif 000015
【図１４】
2010008963.tif 000016
【図１５】
2010008963.tif 000017
【図１６】
2010008963.tif 000018
【図１７】
2010008963.tif 000019
【図１８】
2010008963.tif 000020